(57)【要約】【課題】カメラの重量を増加させることなく、三脚としての支持機能を有した光学装置を提供すること。【解決手段】保護カバー１２をガイド溝１５に沿って移動可能に構成しておく。保護カバー１２がレンズ１７を覆う第１の位置にある場合には、保護カバー１２によってレンズ１７が保護される。一方、保護カバー１２が、保護カバー１２の一端がカメラの筐体１１の端面を超える第２の位置にある場合には、保護カバー１２が三脚の代わりとして機能する。【選択図】図１
2006145698.tif 000002
【特許請求の範囲】
【請求項１】
筐体上に配設されたレンズを覆うことにより、前記レンズを保護する保護カバーと、
前記保護カバーが前記レンズを覆う第１の位置と、前記保護カバーが前記レンズを開放し且つ前記保護カバーの一端が前記筐体の端面を超えて前記筐体を所定の高さに支持する脚として機能するための第２の位置と、の間で移動自在に前記保護カバーを前記筐体上に保持する移動保持部材と、
を具備することを特徴とする光学装置。
【請求項２】
前記保護カバーは、複数の保護部材からなり、
前記移動保持部材は、前記複数の保護部材の各々を互いに異なる方向に移動自在に保持することを特徴とする請求項１に記載の光学装置。
【請求項３】
前記移動保持部材は、前記保護カバーを所定の線分に沿って移動自在に保持することを特徴とする請求項１に記載の光学装置。
【請求項４】
前記保護カバーは回転軸を有し、
前記移動保持部材は、前記保護カバーを前記回転軸を中心にして移動自在に保持することを特徴とする請求項１に記載の光学装置。
【請求項５】
前記保護カバーは、前記第１の位置を経るように前記回転軸を中心に回転することにより、前記レンズの開放のみを行う第３の位置と前記第２の位置との間で移動自在であることを特徴とする請求項４に記載の光学装置。
【請求項６】
前記保護カバーは、前記第１の位置を経ることなしに前記回転軸を中心に回転することにより、前記レンズの開放のみを行う第３の位置と前記第２の位置との間で移動自在であることを特徴とする請求項４に記載の光学装置。
【発明の詳細な説明】
【技術分野】
【０００１】
本発明は、光学装置に関する。
【背景技術】
【０００２】
特許文献１には、三脚を内蔵できるカメラが提案されている。この特許文献１の提案においては、カメラの底面に設けられた溝状収納部に三脚となる少なくとも３本の脚部を収納できるようにしている。このような構成において、三脚を使用しない場合には脚部はカメラの底面にある溝状収納部に収納される。一方、三脚を使用する場合には、溝状収納部に収納されている脚部を持ち上げて起立させるようにしている。
【特許文献１】特開平９−１２７６０２号公報
【発明の開示】
【発明が解決しようとする課題】
【０００３】
しかしながら、特許文献１の手法では、撮影機能には直接関係しない、三脚だけにしか利用できない部材をカメラに設けるようにしている。このため、カメラが重くなってしまう。
【０００４】
本発明は、上記事情に鑑みてなされたものであり、カメラの重量を増加させることなく、三脚としての支持機能を有した光学装置を提供することを目的とする。
【課題を解決するための手段】
【０００５】
上記の目的を達成するために、本発明の第１の態様による光学装置は、筐体上に配設されたレンズを覆うことにより、前記レンズを保護する保護カバーと、前記保護カバーが前記レンズを覆う第１の位置と、前記保護カバーが前記レンズを開放し且つ前記保護カバーの一端が前記筐体の端面を超えて前記筐体を所定の高さに支持する脚として機能するための第２の位置と、の間で移動自在に前記保護カバーを前記筐体上に保持する移動保持部材とを具備することを特徴とする。
【０００６】
この第１の態様によれば、保護カバーが、レンズを覆う第１の位置と、レンズを開放し且つ保護カバーの一端が筐体の端面を超えて筐体を所定の高さに支持する脚として機能するための第２の位置とに移動自在であるので、保護カバーを三脚の代わりとして用いることができる。
【発明の効果】
【０００７】
本発明によれば、カメラの重量を増加させることなく、三脚としての支持機能を有した光学装置を提供することができる。
【発明を実施するための最良の形態】
【０００８】
以下、図面を参照して本発明の実施形態を説明する。  
［第１の実施形態］
図１は、本発明の第１の実施形態に係る光学装置の一例としてのカメラの構成を示す図である。
【０００９】
図１に示すように、カメラの筐体１１の正面側にはレンズ１７を保護するための保護カバー１２が取り付けられている。この保護カバー１２は、両開きできるように２つの保護部材で構成されている。また保護カバー１２の２つの保護部材は、それぞれ折り曲げ部材１３の位置で折り曲げることができるようになっている。更に、保護カバー１２を構成する２つの保護部材の裏面側にはそれぞれガイドピン１４が取り付けられている。これらガイドピン１４は筐体１１に形成された移動保持部材としてのガイド溝１５により保持されている。ガイド溝１５は、カメラに配設されたレンズ１７を覆う第１の位置と保護カバー１２の一端が筐体１１の端面を超える第２の位置との間で移動自在なように、２つの保護部材を案内できるようになっている。また、ガイド溝１５にはそれぞれガイド溝１５を隠すためのラバー１６が敷き詰められている。
【００１０】
このような構成において、図１のカメラにより撮影を行わない場合には、カメラに配設されたレンズ１７を覆う閉位置まで保護カバー１２を移動させることにより、レンズ１７が保護される。
【００１１】
また、図１のカメラにより撮影を行う場合には、保護カバー１２をレンズ１７の前面から退避する位置までガイド溝１５に沿って移動させることにより、ガイドピン１４がラバー１６を押し広げながら移動する。これによりレンズ１７が開放されるとともに、レンズ１７が常焦点位置まで繰り出されて撮影可能な状態となる。
【００１２】
また、開位置から第２の位置まで更に保護カバー１２を移動させることにより、保護カバー１２によってカメラの筐体１１を所定の高さに支持することができ、保護カバー１２を三脚の代わりとして使用することができる。
【００１３】
図２は、保護カバー１２によってカメラの筐体１１を支持しているときの様子を示す側面図である。保護カバー１２を三脚の代わりとして使用する場合には、図２に示すように、保護カバー１２を折り曲げ部材１３のある位置で折り曲げることにより、カメラの筐体１１が安定して支持される。
【００１４】
以上説明したように、第１の実施形態によれば、保護カバー１２を、レンズ１７を保護するための部材としてだけでなく、簡易三脚としても使用できる。これにより、三脚専用の部材が不要となるため、三脚専用の部材を備えたカメラに比べて、重量が軽くなるという特有の効果が得られる。
【００１５】
［第２の実施形態］
次に、本発明の第２の実施形態について説明する。図３は、本発明の第２の実施形態に係る光学装置の一例としてのカメラの構成を示す図である。
【００１６】
図３に示すように、カメラの筐体３１の正面側にはレンズ３７を保護するための保護カバー３２が取り付けられている。この保護カバー３２は、折り曲げ部材３３の位置で折り曲げることができるようになっている。
【００１７】
また、筐体３１にはガイドピン３４が設けられている。このガイドピン３４が保護カバー３２の裏面に形成されたガイド溝３５を移動することによって、保護カバー３２は、レンズ３７を覆う第１の位置と保護カバー３２の一端が筐体３１の端面を超える第２の位置との間で移動自在に案内される。また、ガイド溝３５の上端には、撮影を行わない場合に、保護カバー３２を第１の位置に係止しておくためのラッチ機構３６が設けられている。
【００１８】
このような構成において、図３のカメラにより撮影を行わない場合には、カメラに配設されたレンズ３７を覆う閉位置まで保護カバー３２を移動させることにより、レンズ３７が保護される。
【００１９】
また、図３のカメラにより撮影を行う場合には、保護カバー３２を下方に引くことにより保護カバー３２がラッチ機構３６から外れる。この状態で所定の線分（ガイド溝３５に沿った線分）に沿って保護カバー３２を開位置まで移動させることにより、レンズ３７が開放されるとともに、レンズ３７が常焦点位置まで繰り出されて撮影可能な状態となる。
【００２０】
また、開位置から第２の位置まで更に保護カバー３２を移動させることにより、保護カバー３２によってカメラの筐体３１を所定の高さに支持することができ、保護カバー３２を三脚の代わりとして使用することができる。なお、このときガイドピン３４によって保護カバー３２が筐体３１に固定される。
【００２１】
図４は、保護カバー３２によってカメラの筐体３１を支持しているときの様子を示す側面図である。保護カバー３２を三脚の代わりとして使用する場合には、図４に示すように、保護カバー３２を折り曲げ部材３３のある位置で折り曲げることにより、カメラの筐体３１が安定して支持される。
【００２２】
以上説明したように、第２の実施形態によれば、保護カバー３２を、レンズ３７を保護するための部材としてだけでなく、簡易三脚としても使用できる。これにより、三脚専用の部材が不要となるため、三脚専用の部材を備えたカメラに比べて、重量が軽くなるという特有の効果が得られる。
【００２３】
［第３の実施形態］
次に、本発明の第３の実施形態について説明する。図５は、本発明の第３の実施形態に係る光学装置の一例としてのカメラの構成を示す図である。
【００２４】
図５に示すように、カメラの筐体５１の正面側にはレンズ５７を保護するための保護カバー５２が取り付けられている。この保護カバー５２には回転軸５３が設けられており、この回転軸５３はカメラの筐体５１に固定されている。このような構成により保護カバー５２は回転軸５３を中心として回転自在に構成されている。
【００２５】
図６は、保護カバー５２の構成について示す背面図である。図６に示すように、保護カバー５２の背面には、カメラの筐体５１を支持する際に支持部底面として使用されるプレート６１と、保護カバー５２に対してプレート６１を直角に支持するための固定部材６２とが折り畳み可能に設けられている。
【００２６】
このような構成において、図５のカメラにより撮影を行わない場合には、カメラに配設されたレンズ５７を覆う閉位置まで保護カバー５２を回転させることにより、レンズ５７が保護される。なお、この状態の保護カバー５２の回転角を、０度と定義する。
【００２７】
また、図５のカメラにより撮影を行う場合には、保護カバー５２を回転軸５３を中心として反時計回り方向に９０度回転させることにより、レンズ５７の開放のみを行う第３の位置に移動させる。これにより保護カバー５２がレンズ５７の前面から退避して、レンズ５７が開放されるとともに、レンズ５７が常焦点位置まで繰り出されて撮影可能な状態となる。
【００２８】
また、保護カバー５２を三脚の代わりとして使用する場合には保護カバー５２を回転させることにより、保護カバー５２をその一端が筐体５１の端面を超える第２の位置まで移動させる。
【００２９】
ここで、保護カバー５２は、その回転角が時計回りまたは反時計回りに９０度以内の場合には、プレート６１がカメラの筐体５１に接しているために、プレート６１が開かないように構成されている。これに対し、保護カバー５２の回転角が１８０度になった時には、図７に示すように、プレート６１が保護カバー５２から離れると同時に固定部材６２によりプレート６１が保護カバー５２に対して垂直に固定され、カメラの筐体５１が支持される。
【００３０】
ここで、保護カバー５２を回転させる際に、筐体５１を把持するためのグリップ部などの回転の障害がある場合には、保護カバー５２を逆方向に回転させれば良い。即ち、この場合には保護カバー５２を撮影時の位置から回転軸５３を中心として時計回り方向に２７０度回転させることにより、保護カバー５２を三脚の代わりとして利用することができる。
【００３１】
以上説明したように、第３の実施形態によれば、保護カバー５２をある一方向に回転させた時にグリップ等の回転の障害となるものが存在する場合においても、逆方向に回転させることにより保護カバー５２を三脚の代わりとして使用できるという特有の効果が得られる。
【００３２】
［第４の実施形態］
次に、本発明の第４の実施形態について説明する。図８は、本発明の第４の実施形態に係る光学装置の一例としてのカメラの構成を示す図である。
【００３３】
図８に示すように、カメラの筐体８１の正面側にはレンズ８７を保護するための保護カバー８２が取り付けられている。この保護カバー８２には回転軸８３が設けられており、この回転軸８３はカメラの筐体８１に固定されている。このような構成により保護カバー８２は回転軸８３を中心として回転自在に構成されている。なお、保護カバー８２の構成は、図６で説明したものと同様であるので説明を省略する。
【００３４】
このような構成において、図８のカメラにより撮影を行わない場合には、カメラに配設されたレンズ８７を覆う閉位置まで保護カバー８２を回転させることにより、レンズ８７が保護される。なお、この状態の保護カバー８２の回転角を、０度と定義する。
【００３５】
また、図８のカメラにより撮影を行う場合には、保護カバー８２を回転軸５３を中心として時計回り方向に９０度回転させることにより、レンズ８７の開放のみを行う第３の位置に移動させる。これにより保護カバー８２がレンズ８７の前面から退避して、レンズ８７が開放されるとともに、レンズ８７が常焦点位置まで繰り出されて撮影可能な状態となる。
【００３６】
また、保護カバー８２を回転軸５３を中心として更に時計回り方向に９０度回転させることにより、保護カバー８２の一端が筐体８１の端面を超える第２の位置に移動して、保護カバー８２によってカメラの筐体８１を所定の高さに支持することができ、保護カバー８２を三脚の代わりとして使用することができる。
【００３７】
以上説明したように、第４の実施形態によれば、保護カバー８２を容易に簡易三脚として用いることができるという特有の効果が得られる。
【００３８】
以上実施形態に基づいて本発明を説明したが、本発明は上記した実施形態に限定されるものではなく、本発明の要旨の範囲内で種々の変形や応用が可能なことは勿論である。
【００３９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４０】
【図１】本発明の第１の実施形態に係る光学装置の一例としてのカメラの構成を示す図である。
【図２】第１の実施形態における保護カバーによってカメラの筐体を支持しているときの様子を示す側面図である。
【図３】本発明の第２の実施形態に係る光学装置の一例としてのカメラの構成を示す図である。
【図４】本発明の第２の実施形態における保護カバーによってカメラの筐体を支持しているときの様子を示す側面図である。
【図５】本発明の第３の実施形態に係る光学装置の一例としてのカメラの構成を示す図である。
【図６】本発明の第３の実施形態における保護カバーについて説明するための背面図である。
【図７】本発明の第３の実施形態における保護カバーによってカメラの筐体を支持しているときの様子を示す側面図である。
【図８】本発明の第４の実施形態に係る光学装置の一例としてのカメラの構成を示す図である。
【符号の説明】
【００４１】
１１，３１，５１，８１…筐体、１２，３２，５２，８２…保護カバー、１３，３３…折り曲げ部材、１４，３４…ガイドピン、１５，３５…ガイド溝、１６…ラバー、１７，３７，５７，８７…レンズ、３６…ラッチ機構、５３，８３…回転軸、６１…プレート、６２…固定部材
【図１】
2006145698.tif 000003
【図２】
2006145698.tif 000004
【図３】
2006145698.tif 000005
【図４】
2006145698.tif 000006
【図５】
2006145698.tif 000007
【図６】
2006145698.tif 000008
【図７】
2006145698.tif 000009
【図８】
2006145698.tif 000010